(57)【要約】【課題】小型軽量のハードディスクドライブに対しても確実に振動を減少させる。【解決手段】ハードディスクドライブ２０を振動発生部１０に取り付けるハードディスクドライブ固定構造において、前記振動発生部に基台１２を介して一端が固定された防振弾性体１４と、該防振弾性体の他端に裏面側が固定された重量板１６とを介在させ、該重量板の表面側にハードディスクドライブ２０を固定する。【選択図】図１
2008287791.tif 000002
【特許請求の範囲】
【請求項１】
ハードディスクドライブを振動発生部に取り付けるハードディスクドライブ固定構造において、
前記振動発生部に直接又は基台を介して一端が固定された防振弾性体と、
該防振弾性体の他端に裏面側が固定された重量板とを介在させ、
該重量板の表面側にハードディスクドライブを固定することを特徴とするハードディスクドライブ固定構造。
【請求項２】
前記ハードディスクドライブに連結されたコネクタを、連結方向に押え付ける押え部材を、該ハードディスクドライブに取付けたことを特徴とする請求項１に記載のハードディスクドライブ固定構造。
【発明の詳細な説明】
【技術分野】
【０００１】
本発明は、ハードディスクドライブ固定構造、特に振動発生部にハードディスクドライブを設置する場合の振動対策に適用して好適な、ハードディスクドライブ固定構造に関する。
【背景技術】
【０００２】
電子部品実装装置（マウンタ）等の産業装置において振動が発生する場所（振動発生部）にハードディスクドライブ（装置）を設置する場合、その振動が装置の故障の原因となったり、電気的接続のために連結されているコネクタが抜ける原因となったりする。そのために、ハードディスクドライブに対しては、振動防止対策が極めて重要である。
【０００３】
従来のハードディスクドライブに対する振動防止技術としては、例えば特許文献１に、支持体側に設けられた取付フレームの孔に嵌合する筒状のゴム弾性体と、該ゴム弾性体に嵌入され、ハードディスクドライブに捩じ込み固定されるねじ部材とを有する防振装置を用い、該防振装置をハードディスクドライブに直接取り付けるものが開示されている。
【０００４】
【特許文献１】実開平６−３２７８８号公報
【発明の開示】
【発明が解決しようとする課題】
【０００５】
しかしながら、前記防振装置のように、取付フレームとハードディスクドライブとをゴム弾性体を介在させて固定する防振構造の場合には、小型軽量化される傾向にあるハードディスクドライブに対しては有効な振動防止対策にはなり得ないという問題がある。
【０００６】
又、電子部品実装装置の装置本体のように激しく振動する場所にハードディスクドライブを設置する場合には、ハードディスクドライブ自体の振動が原因で、これに連結されているコネクタが抜け易いという問題もある。
【０００７】
本発明は、前記従来の問題点を解決するべくなされたもので、小型軽量のハードディスクドライブに対して特に有効に振動を低減できるようにすると共に、ハードディスクドライブが振動する場合でも、該ドライブのコネクタ抜けを防止できるようにすることを課題とする。
【課題を解決するための手段】
【０００８】
本発明は、ハードディスクドライブを振動発生部に取り付けるハードディスクドライブ固定構造において、前記振動発生部に直接又は基台を介して一端が固定された防振弾性体と、該防振弾性体の他端に裏面側が固定された重量板とを介在させ、該重量板の表面側にハードディスクドライブを固定することにより、前記課題を解決したものである。
【０００９】
本発明においては、前記ハードディスクドライブに連結されたコネクタを、連結方向に押え付ける押え部材を、該ハードディスクドライブに取付けるようにしても良い。
【発明の効果】
【００１０】
本発明によれば、ハードディスクドライブを、防振弾性体と重量板とを介して、振動発生部に固定するようにしたので、重量板の制振作用により、ハードディスクドライブが小型軽量であっても確実に振動を低減することができる。
【００１１】
又、ハードディスクドライブに、コネクタの押え部材を取付けることにより、振動発生部が激しく振動する場合でも、該押え部材に振動が直接伝わらないので、コネクタの抜けを有効に防止することができる。
【発明を実施するための最良の形態】
【００１２】
以下、図面を参照して、本発明の実施の形態について詳細に説明する。
【００１３】
図１は、本発明に係る一実施形態のハードディスクドライブ固定構造の特徴を示す正面図である。
【００１４】
本実施形態のハードディスクドライブ固定構造においては、振動発生部（例えば、電子部品実装装置）に対応するベースフレーム１０に、ハードディスクドライブを取り付けるための基台１２がボルト１２Ａを介してねじ１２Ｂで固定されている。
【００１５】
この基台１２には、その上面に下端（一端）が固定された防振ゴム（弾性体）１４と、該防振ゴム１４の上端（他端）に裏面側が固定されたウェイトプレート（重量板）１６とが配設され、該ウェイトプレート１６の表面側には、スタッド１８を介してハードディスクドライブ２０が固定されている。
【００１６】
又、上記ハードディスクドライブ２０に連結されたコネクタ２２を、連結方向に押え付ける押え部材２４が、該ハードディスクドライブ２０に直接取付けられている。
【００１７】
この押え部材２４は、図２にハードディスクドライブ２０を抽出した平面図で示すように、Ｌ字形状からなり、その短辺部でコネクタ２２を該ドライブ２０方向（連結方向）に押え付けると共に、長辺部に形成された長孔２４Ａと長溝２４Ｂに嵌挿されたねじ部材を介して、スライド固定されるようになっている。
【００１８】
本実施形態においては、ベースフレーム１０が振動すると、それがボルト１２Ａを通して基台１２に伝わるが、この振動は防振ゴム１４に吸収される。
【００１９】
又、この防振ゴム１４により吸収しきれなかった振動は、ウェイトプレート１６の制振作用により抑えられる。従って、ウェイトプレート１６にスタッド１８を介して固定されているハードディスクドライブ２０に伝達される振動を、大幅に減少させることができる。
【００２０】
このウェイトプレート１６はハードディスクドライブ２０に比べ十分な重さ（質量）を有していることが好ましく、具体的な材料としては、例えば圧延鋼板に亜鉛めっきをほどこしたものでよい。
【００２１】
又、押え部材２４が、ハードディスクドライブ２０に直結してあることから、該押え部材２４にベースフレーム１０や基台１２等から直接振動が伝わることが無いため、コネクタ２２の抜けを更に有効に防止することができる。
【００２２】
又、この押え部材２４は、長孔２４Ａと長溝２４Ｂを介して固定してあるため、コネクタ２４を軽く押え付けて支持するように固定することもできる。
【００２３】
なお、以上の実施形態では、防振ゴム１４を基台１２に固定する場合を説明したが、これに限定されず、ベースフレーム（振動発生部）１０に直接固定するようにしてもよいことはいうまでもない。
【００２４】
又、前記押え部材２４は、振動発生部以外に設置されているハードディスクドライブに対しても当然に適用可能である。
【図面の簡単な説明】
【００２５】
【図１】本発明に係る一実施形態のハードディスクドライブ固定構造を示す正面図
【図２】ハードディスクドライブに連結されたコネクタと押え部材の関係を示す平面図
【符号の説明】
【００２６】
１０…ベースフレーム
１２…基台
１４…防振ゴム（弾性体）
１６…ウェイトプレート（重量板）
１８…スタッド
２０…ハードディスクドライブ
２２…コネクタ
２４…押え部材
【図１】
2008287791.tif 000003
【図２】
2008287791.tif 000004